(57)【特許請求の範囲】
【請求項１】
車両底部を形成するフロアパネル上に、車幅方向に延び、該フロアパネル上面とで閉断面を形成するクロスメンバが設けられていると共に、該クロスメンバの車両前面側及び後面側における車体前後方向の対応する位置にそれぞれ切欠が設けられた車両のフロア構造であって、
前記両切欠に跨りかつその縁部に接した状態で、前後端が開口する閉断面構造の切欠補強部材が設けられており、かつ、
前記フロアパネルの下面には、車体前後方向に延び、該フロアパネル下面とで閉断面を形成するフレームが、前記切欠補強部材と平面視で重合して設けられていると共に、
前記切欠補強部材は、該フレームにフロアパネルを介して結合されていることを特徴とする車両のフロア構造。
【請求項２】
車両底部を形成するフロアパネル上に、車幅方向に延び、該フロアパネル上面とで閉断面を形成するクロスメンバが設けられていると共に、該クロスメンバの車両前面側及び後面側における車体前後方向の対応する位置にそれぞれ切欠が設けられた車両のフロア構造であって、
前記両切欠に跨りかつその縁部に接した状態で、前後端が開口する閉断面構造の切欠補強部材が設けられており、かつ、
前記クロスメンバ内には、その長手方向に沿って、一端が前記切欠補強部材に結合され、他端がサイドシル近傍まで延びる荷重伝達部材が設けられていることを特徴とする車両のフロア構造。
【請求項３】
前記請求項２に記載の車両のフロア構造において、
前記クロスメンバには、車載装置を取り付ける取付部が設けられていると共に、
該取付部の内面には該取付部を補強する補強部材が設けられており、
前記荷重伝達部材は、該補強部材に結合されていることを特徴とする車両のフロア構造。
【請求項４】
前記請求項１から請求項３のいずれか１項に記載の車両のフロア構造において、
前記切欠補強部材に、空調ダクトが挿通されていることを特徴とする車両のフロア構造。
【発明の詳細な説明】
【技術分野】
【０００１】
本発明は、車両底部を形成するフロアの構造に関し、車体構造の技術分野に属する。
【背景技術】
【０００２】
車両の底部を形成するフロアパネル上には、車幅方向に延び、該パネル上面とで閉断面を形成するクロスメンバを、該パネルの補強等を目的として設けることがある。また、このパネル上には、車両前部に設けられた空調装置から後部座席等に空調風を導く空調ダクトが敷設されることがある。
【０００３】
ここで、クロスメンバを車体前後方向において例えば空調装置と後部座席との間に設けた場合、前記空調ダクトは、例えばクロスメンバの上方を通過させることが考えられるが、この場合、クロスメンバ上に設けられる例えばシート装置等の設置位置を高くしなければならなくなる。そこで、クロスメンバの車両前面側及び後面側における車体前後方向の対応する位置にそれぞれ開口を形成し、該開口に前記空調ダクトを挿通することが考えられる。しかし、このように開口を設けると、開口近傍の強度が低下して、側突時に、クロスメンバが開口を中心として変形しやすくなる等の耐側突性能の低下を招くこととなる。
【０００４】
この問題に対処するものとして、例えば、特許文献１には、前記開口の近傍前方及び後方において、フロアパネルに、車幅方向に延びる補強用ビードを設け、これにより、開口周辺の強度を向上させるようにしたものが開示されている。
【０００５】
【特許文献１】特開平１１−２０８５２０号公報
【発明の開示】
【発明が解決しようとする課題】
【０００６】
ところで、通常、空調ダクトにおける後部座席への空調風吹き出し口の車幅方向配設位置は、後部座席の乗員位置や、後部座席全体への空調風の循環等を考慮して設定され、空調ダクトの配設ルートは、空調ダクト上での放熱ロス等ができるだけ少なくなるように、空調風吹き出し口まで迂回等することなくできるだけ最短距離となるように設定される。つまり、クロスメンバにおける空調ダクト挿通用開口の適切な設置位置は、前述のような条件から自ずと定まってくるのであるが、特許文献１に記載のものにおいては、この位置に設けるのが困難な場合がある。
【０００７】
すなわち、特許文献１に記載のものにおいては、車体のベースとなるフロアパネルに前述のようにして定まった開口位置にあわせて補強用ビードを設ける必要があるわけであるが、フロアパネルには、該ビード以外にも様々な装備の取付部や補強構造等も設ける必要があるので、これらと干渉して補強用ビードを設けるのが困難な場合があるのである。したがって、このような場合、特許文献１に記載のものにおいては、フロアパネル上の補強用ビード位置を先に設定し、クロスメンバの開口位置を補強用ビード位置にあわせて設定することとなるが、その場合、前述のような理由により、空調ダクトやその空調風吹き出し口を適切な位置に配設するのが困難となる。また、従来の構造においては、空調ダクトが貫通する開口を直接補強するものではないので、大きな側突荷重が入力された場合には、結果として、前記開口周縁に応力集中が生じてしまい、側突に対する十分な耐力が得られない。更に、従来の構造では、補強用ビードが車幅方向に延びていることから、前後突荷重に対してはビード部周辺が脆弱になってしまい、前後突に対する耐力が低くなる。
【０００８】
そこで、本発明は、車両底部を形成するフロア上に、車幅方向に延び、該フロア上面とで閉断面を形成するクロスメンバが設けられていると共に、該クロスメンバの車両前面側及び後面側における車体前後方向の対応する位置に切欠が設けられた車両のフロア構造において、フロアパネルに補強用ビードを設けることなく、良好な耐側突性能及び耐前後突性能を実現し、かつ切欠等のレイアウトの自由度を向上させることができる車両のフロア構造を提供することを課題とする。
【課題を解決するための手段】
【０００９】
前記課題を解決するために、本発明は、次のように構成したことを特徴とする。
【００１０】
まず、本願の請求項１に記載の発明は、車両底部を形成するフロアパネル上に、車幅方向に延び、該フロアパネル上面とで閉断面を形成するクロスメンバが設けられていると共に、該クロスメンバの車両前面側及び後面側における車体前後方向の対応する位置にそれぞれ切欠が設けられた車両のフロア構造であって、前記両切欠に跨りかつその縁部に接した状態で、前後端が開口する閉断面構造の切欠補強部材が設けられており、かつ、前記フロアパネルの下面には、車体前後方向に延び、該フロアパネル下面とで閉断面を形成するフレームが、前記切欠補強部材と平面視で重合して設けられていると共に、前記切欠補強部材は、該フレームにフロアパネルを介して結合されていることを特徴とする。
【００１２】
また、請求項２に記載の発明は、車両底部を形成するフロアパネル上に、車幅方向に延び、該フロアパネル上面とで閉断面を形成するクロスメンバが設けられていると共に、該クロスメンバの車両前面側及び後面側における車体前後方向の対応する位置にそれぞれ切欠が設けられた車両のフロア構造であって、前記両切欠に跨りかつその縁部に接した状態で、前後端が開口する閉断面構造の切欠補強部材が設けられており、かつ、前記クロスメンバ内には、その長手方向に沿って、一端が前記切欠補強部材に結合され、他端がサイドシル近傍まで延びる荷重伝達部材が設けられていることを特徴とする。
【００１３】
さらに、請求項３に記載の発明は、前記請求項２に記載の発明において、前記クロスメンバには、車載装置を取り付ける取付部が設けられていると共に、該取付部の内面には該取付部を補強する補強部材が設けられており、前記荷重伝達部材は、該補強部材に結合されていることを特徴とする。
【００１４】
また、請求項４に記載の発明は、前記請求項１から請求項３のいずれか１項に記載の発明において、前記切欠補強部材に、空調ダクトが挿通されていることを特徴とする。
【発明の効果】
【００１５】
次に、本発明の効果について説明する。
【００１６】
まず、請求項１に記載の発明によれば、クロスメンバにおける切欠が設けられた部位が、前記両切欠に跨りかつその縁部に接した状態で設けられた閉断面構造の切欠補強部材により直接的に強固に補強されることとなる。したがって、側突時に（車体側方から衝撃荷重が作用したときに）大きな側突荷重が入力されても、切欠周辺に応力集中が生じることがなくなり、その結果、クロスメンバが切欠を中心として撓む等の変形が防止される等、側突に対する耐力が向上することとなる。また、背景技術のようにフロアパネルに車幅方向に延びる補強用ビードを設けるものではないので、フロアパネルが脆弱となることがなく、前後突に対する耐力が低下することがない。また、本発明においては、前記補強は、背景技術のようにフロアパネルに補強用ビードを設けることによってではなく、切欠内に切欠補強部材を設けることによって行われるので、切欠の配設位置の設定に当たってフロアパネルとの関係を考慮する必要がなくなり、切欠のレイアウト自由度が向上する。なお、前記切欠には、背景技術で説明したような開口を含む。
【００１７】
そして、この発明によれば、前記フロアパネルの下面には、車体前後方向に延び、該フロアパネル下面とで閉断面を形成するフレームが、前記切欠補強部材と平面視で重合して設けられていると共に、前記切欠補強部材は、該フレームにフロアパネルを介して結合されているから、側突時に、クロスメンバに入力された側突荷重を、切欠補強部材を介してフレームに伝達して分散することができる。また、前後突時に、フレームに入力された前後突荷重を、切欠補強部材を介してクロスメンバに伝達して分散することができるようになり、耐前後突性能もさらに向上することとなる。
【００１８】
また、請求項２に記載の発明によれば、前記請求項１に記載の発明と同様に、クロスメンバにおける切欠が設けられた部位が、前記両切欠に跨りかつその縁部に接した状態で設けられた閉断面構造の切欠補強部材により直接的に強固に補強されるので、側突時に大きな側突荷重が入力されても、切欠周辺に応力集中が生じることがなくなり、その結果、クロスメンバが切欠を中心として撓む等の変形が防止される等、側突に対する耐力が向上することとなる。また、フロアパネルに車幅方向に延びる補強用ビードを設けるものではないので、フロアパネルが脆弱となることがなく、前後突に対する耐力が低下することがない。また、本発明においても、前記補強は、切欠内に切欠補強部材を設けることによって行われるので、切欠の配設位置の設定に当たってフロアパネルとの関係を考慮する必要がなくなり、切欠のレイアウト自由度が向上する。なお、前記切欠に開口を含む点も、請求項１の発明同様である。
そして、この発明によれば、前記クロスメンバ内には、その長手方向に沿って、一端が切欠補強部材に結合され、他端がサイドシル近傍まで延びる荷重伝達部材が設けられているから、側突時に、サイドシルが、車幅方向内方に変位して、荷重伝達部材におけるサイドシル側の端部に当接した場合、クロスメンバだけでなく、荷重伝達部材によっても、切欠補強部材に側突荷重を伝達することができる。
【００１９】
さらに、請求項３に記載の発明によれば、前記荷重伝達部材は、クロスメンバへの車載装置の取付部を補強する補強部材に結合されているから、クロスメンバに対する荷重伝達部材の取付強度を向上させることができる。また、クロスメンバに対する車載装置の取付強度を高めることにもなる。
【００２０】
また、請求項４に記載の発明によれば、前記切欠補強部材に、空調ダクトが挿通されるから、空調ダクトをクロスメンバの切欠に挿通する際における、該ダクトとクロスメンバの切欠の縁部との接触や干渉によるダクトの損傷を回避することができる。また、請求項１、２において説明したように、切欠のレイアウトが自由になるので、ダクトの車幅方向位置も自由に設定することができるようになり、空調性能も向上することとなる。
【発明を実施するための最良の形態】
【００２１】
以下、本発明の実施の形態について説明する。
【００２２】
図１は、本実施の形態に係る車両のフロア１における前部右側座席配設位置付近を右斜め前方から見た斜視図、図２は、図１のＡ−Ａ断面図、図３は、図２の矢印Ｂによる矢視図（平面図）、図４は、図２のＣ−Ｃ断面図である。図１に示すように、この車両の底部を形成するフロアパネル２の車幅方向中央には、車体前後方向に延び、上方に膨出するトンネル部２ａが設けられている。また、フロアパネル２の車幅方向両端部は、図２、図３にも示すように、サイドシル３，３（各図においては、車体幅方向の右側のサイドシル３しか図示していないが、トンネル部を２ａを中心として左右対称に設けられている。なお、以後説明する特徴部分等についても同様である）に接合されている。なお、本実施の形態においては、接合とは、特に説明する場合を除き、溶接による接合をいう。また、単に前後というときは、車体前後方向のことをいい、左右というときは、車幅方向左右のことをいう。
【００２３】
フロアパネル２の上面には、両サイドシル３，３間で車幅方向に延びるクロスメンバ４が設けられている。このクロスメンバ４は、図４に示すように、断面ハット状とされ、前後のフランジ部４ａ，４ｂがフロアパネル２に接合されて、フロアパネル２とで閉断面を形成している。また、その車幅方向両端部には、図２、図３に示すようにフランジ部が設けられ、サイドシル３，３に接合されている。
【００２４】
図１、図２に示すように、フロアパネル２の下面には、サイドシル３，３とトンネル部２ａとの車幅方向ほぼ中央において、車体前後方向に延びる断面ハット状のフレーム５が接合されている。
【００２５】
ここで、図１〜図３に示すように、前記クロスメンバの４の前側の側壁４ｃ及び後側の側壁４ｄには、車体前後方向において対応する位置において、詳しくはサイドシル３３とトンネル部２ａとの車幅方向ほぼ中央において、側面視概略四角形の切欠４ｅ，４ｆが設けられている。そして、該切欠４ｅ，４ｆには、前後端が開口した四角筒状で金属製の切欠補強部材１０がはめ込まれている。この切欠補強部材１０は、前記フレーム５と平面視で重合して配置されていると共に、下壁１０ａが、フロアパネル２とフレーム５のフランジ部５ａ，５ａとに重なる部位で図２に符号ａで示すようにスポット溶接により接合されている。なお、このスポット溶接に際して溶接ガンを挿入可能なように、切欠補強部材１０の上壁１０ｂの前後端部には前記各溶接部に対応して複数の半円状切欠が設けられている。
【００２６】
切欠補強部材１０の前後方向長は、図３、図４に示すように、該切欠補強部材１０が配設される部位において、クロスメンバ４の幅（車体前後方向長）よりも長くされている。また、クロスメンバ４の切欠４ｅ，４ｆの縁部には前記フランジ部４ａ，４ｂに連なるフランジ部４ｇ，４ｈがそれぞれ設けられており、これらのフランジ部４ｇ，４ｈが、切欠補強部材１０の上壁１０ｂ及び縦壁１０ｃ，１０ｃの前後端部外面に、図２〜図４に符号ｂで示すように、アーク溶接により接合されている。
【００２７】
図２に示すように、クロスメンバ４とフロアパネル２とで囲まれた閉断面空間内には、サイドシル３と切欠補強部材１０との間において、クロスメンバ４の長手方向に（車幅方向に）沿って、断面四角形（図４参照）の金属製角パイプ１１が配設され、その一端が、図２、図４に符号ｃで示すように、切欠補強部材１０におけるサイドシル側の縦壁１０ｃ外面にアーク溶接により接合されている。一方、他端は、サイドシル３の内壁３ａには接合されず、隙間が設けられている。また、角パイブ１１の下壁１１ａの下面とフロアパネル２の上面との間には、例えば５〜１０ｍｍ程度の隙間が設けられている。これは、走行中の車体振動等により、角パイブ１１の下壁１１ａとフロアパネル２とが接触するのを防止することを目的としている。また、角パイプ１１の上壁１１ｂと切欠補強部材１０の上壁１０ｂとは、ほぼ面一となるように突き合わされている。これは、側突（図２の矢印ア方向から衝撃荷重が作用すること）によってサイドシル３側から角パイプ１１のサイドシル３側端部に衝撃荷重が伝達されたときに、切欠補強部材１０の縦壁１０ｃが該荷重により変形するのを極力抑制することを目的としている。
【００２８】
図２、図４に示すように、クロスメンバ４の前側側壁４ｃの上部左右には、前部右側座席を構成するシート装置２０の固定用ブラケット２１，２１がボルト・ナットで固定されている。その場合に、クロスメンバ４の側壁４ｃ内面における前記固定用ブラケット２１，２１が取り付けられる部分には該取付部を補強するシート取付部補強部材２２，２３が設けられている。ここで、前記ナットは、該シート取付部補強部材２２，２３に予め溶着されている。
【００２９】
その場合に、サイドシル３側のシート取付部補強部材２２は、図２〜図４に示すように、クロスメンバ４の前側側壁４ｃ内面に符号ｄ（図３参照）で示すようにスポット溶接により接合される前壁部２２ａと、該前壁部２２ａにおけるサイドシル３側の端から後方に延び、サイドシル３内面とほぼ平行な面でなる側壁部２２ｂと、該側壁部２２ｂの下端から角パイプ１１側に延び、ほぼ水平な面でなる下壁部２２ｃとを有している。下壁部２２ｃにおける角パイプ１１側の端部は、角パイプ１１内の空間にまで延び、角パイプ１１の下壁部１１ａ内面に符号ｅ（図４参照）で示すようにアーク溶接により接合されている。シート取付部補強部材２２の側壁部２２ｂとサイドシル３の内壁３ａとの間には、所定の隙間Ｚが設けられている。この所定の隙間Ｚの間隔は、車両走行時等の振動によってはシート取付部補強部材２２の側壁部２２ｂとサイドシル３の内壁３ａとが接触しないが、側突によってサイドシル３が車幅方向内方に変位したときには、速やかに側壁部２２ｂに接触するような間隔に設定されている（例えば３ｍｍ程度）。また、下壁部２２ｃと角パイプ１１の下壁部１１ａとの溶接は、端部同士を突き合わせた状態でなく、重ね合わされた状態で行われるので、例えば、角パイプ１１の車幅方向長等に若干誤差があったしても、隙間Ｚの間隔に誤差が生じることがない。
【００３０】
図１に示すように、本車両の車室前部に設けられた図示しないインストルメントパネルの内部には、車幅方向ほぼ中央のトンネル部２ａの上方において、空調装置３１が設けられており、該空調装置３１からの空調風が、前部座席にはインストルメントパネルの開口を通して直接吹き出し、前記シート装置２０後方の後部座席には、左右一対の空調ダクト３２，３２（図１には、右側のダクト３２のみ示されている）を介して導かれるようになっている。これらの空調ダクト３２，３２は、樹脂製で、扁平な形状とされており、例えば右側のダクト３２は、空調装置３１の下部から下方に延び、トンネル部２ａ側方で後方に折曲し、該トンネル部２ａ側部に沿って同方向に延び、クロスメンバ４の直前方で車幅方向外方に折曲し、フロアパネル２の平面部２ｂ上面に沿って同方向に延び、トンネル部２ａとサイドシル３との車幅方向ほぼ中央で（切欠補強部材１０の開口前方で）後方に折曲し、該切欠補強部材１０内部の空間を通って、シート装置２０の下方にまで延びている。なお、左側のダクト３２については、右側ダクト３２と左右対称な構成とされており、説明は省略する。
【００３１】
次に、本実施の形態に係るフロア構造の作用効果について説明する。
【００３２】
まず、本実施の形態においては、クロスメンバ４の前側の側壁４ｃ及び後側の側壁４ｄにおける車体前後方向の対応する位置に切欠４ｅ，４ｆが設けられているが、これら両切欠４ｅ，４ｆに跨りかつその縁部に接して、前後端が開口する閉断面構造の切欠補強部材１０が設けられているので、クロスメンバ４が切欠補強部材１０により強固に補強されることとなる。したがって、側突時に（図２に矢印アで示すようにサイドシル３等に車体側方から衝撃力が作用したときに）大きな側突荷重が入力されても、切欠４ｅ，４ｆ周辺に応力集中が生じることがなくなり、その結果、この側突によりクロスメンバ４が切欠４ｅ，４ｆを中心として変形するのが抑制される等、側突に対する耐力が向上することとなる。また、背景技術のようにフロアパネルに車幅方向に延びる補強用ビードを設けるものではないので、フロアパネル２が脆弱となることがなく、前後突に対する耐力が低下することがない。また、本実施の形態においては、前記補強は、背景技術のようにフロアパネルにビードを設けることによってではなく、切欠４ｅ，４ｆ内に直接切欠補強部材１０を設けることによって行われるので、該切欠４ｅ，４ｆの配設位置の設定に当たってフロアパネル２との関係を考慮する必要がなくなり、切欠４ｅ，４ｆのレイアウト自由度が向上する。
クロスメンバが切欠を中心として撓む等の変形が防止されることとなる。
【００３３】
また、フロアパネル２の下面には、車体前後方向に延び、該フロアパネル２下面とで閉断面を形成するフレーム５が、前記切欠補強部材１０と平面視で重合して設けられていると共に、前記切欠補強部材１０は、該フレーム５上にフロアパネル２を介して結合されているから、側突時に、クロスメンバ４に入力された側突荷重を、切欠補強部材１０を介してフレーム５に伝達して分散することができる。また、前後突時に、フレーム５に入力された前後突荷重を、切欠補強部材１０を介してクロスメンバ４に伝達して分散することができるようになり、耐前後突性能も向上することとなる。
【００３４】
そして、前記クロスメンバ４内には、その長手方向に沿って、一端が前記切欠補強部材１０に結合され、他端がサイドシル近傍まで延びる荷重伝達部材１１が設けられているから、側突時に、サイドシル３が車幅方向内方に変位して、荷重伝達部材１１におけるサイドシル２側の端部に当接した場合、クロスメンバ４だけでなく、荷重伝達部材１１によっても、切欠補強部材１０及びフレーム５に側突荷重を伝達することができる。
【００３５】
さらに、前記荷重伝達部材１１は、クロスメンバ４へのシート装置２０の取付部を補強するシート取付部補強部材２２に結合されているから、クロスメンバ４に対する荷重伝達部材１１の取付強度を向上させることができる。また、クロスメンバ４に対するシート装置２０の取付強度を高めることにもなる。
【００３６】
また、空調ダクト３２は、前記切欠補強部材１０に挿通されるから、空調ダクト３２をクロスメンバ４の切欠４ｅ，４ｆ内に挿通する際における、空調ダクト３２とクロスメンバ４の切欠４ｅ，４ｆの縁部との接触や干渉によるダクト３２の損傷を回避することができる。また、前述のように、切欠４ｅ，４ｆの車幅方向位置のレイアウトが自由になるので、ダクト３２の車幅方向位置も自由に設定することができるようになり、空調性能も向上することとなる。
【００３７】
ここで、切欠補強部材１０等の取付について簡単に説明しておく。まず、切欠補強部材１０におけるサイドシル側の縦壁１０ｃ外面の所定位置にアーク溶接により角パイプ１１の一端を接合する。また、クロスメンバ４の前側の側壁４ｃ内面の所定位置にシート取付部補強部材２２をスポット溶接により接合する。次に、角パイプ１１の固定された切欠補強部材１０をクロスメンバ４の切欠４ｅ，４ｆに嵌め込み、切欠４ｅ，４ｆの縁部のフランジ部４ｇ，４ｈと切欠補強部材１０の上壁１０ｂ，縦壁１０ｃ，１０ｃとをアーク溶接により接合する。一方、角パイプ１１は、その下壁部１１ａ内面に、シート取付部補強部材２２の下壁部２２ｃと重ね合わされてアーク溶接により接合される。この時、角パイプ１１の下壁部１１ａとシート取付部補強部材２２の下壁部２２ｃとは突き合わせではなく重ね合わせとされるため、製造精度や組み付け精度のばらつきが生じたとしても、その誤差を吸収し、調整することができる。そして、切欠補強部材１０が固定された状態のクロスメンバ４をフロアパネル２の所定位置に載置して、クロスメンバ４のフランジ部４ａ，４ｂとフロアパネル２とをスポット溶接により接合すると共に、切欠補強部材１０の下壁１０ａとフロアパネル２とフレーム５のフランジ部５ａ，５ａとが重なる部位をスポット溶接により接合する。これによれば、容易に本フロア構造を形成することができる。
【００３８】
なお、本実施の形態の構成要素と特許請求の範囲の構成要素との対応について説明しておくと、特許請求の範囲の請求項１におけるフロアパネルはフロアパネル２に対応し、クロスメンバはクロスメンバ４に対応し、切欠は切欠４ｅ，４ｆに対応し、切欠補強部材は切欠補強部材１０に対応し、請求項２におけるフレームはフレーム５に対応し、請求項３におけるサイドシルはサイドシル３に対応し、荷重伝達部材は角パイプ１１に対応し、請求項４における車載装置はシート装置２０に対応し、補強部材はシート取付部補強部材２２に対応し、空調ダクトは空調ダクト３２に対応する。なお、特許請求の範囲における切欠には、背景技術のような開口を含む。
【産業上の利用可能性】
【００３９】
本発明は、車両底部を形成するフロア上に、車幅方向に延び、該フロア上面とで閉断面を形成するクロスメンバが設けられていると共に、該クロスメンバの車両前面側及び後面側における車体前後方向の対応する位置に切欠が設けられた車両のフロア構造に広く適用することができる。
【図面の簡単な説明】
【００４０】
【図１】本発明の実施の形態に係る車両のフロア構造の斜視図である。
【図２】図１のＡ−Ａ線による断面図である。
【図３】図２の矢印Ｂによる矢視図である。
【図４】図２のＣ−Ｃ線による断面図である。
【符号の説明】
【００４１】
１      フロア
２      フロアパネル
３      サイドシル
４      クロスメンバ
４ｅ，４ｆ    切欠
５      フレーム
１０    切欠補強部材
１１    角パイプ（荷重伝達部材）
２０    シート装置（車載装置）
２２    シート取付部補強部材（補強部材）
３２    空調ダクト
【図１】
0004677881.tif 000002
【図２】
0004677881.tif 000003
【図３】
0004677881.tif 000004
【図４】
0004677881.tif 000005